(57)【特許請求の範囲】
【請求項１】
ｎ個のピストンを備えた駆動機構に取り付けられる、それぞれ１つの薄膜によって制限されたｎ個の送出チャンバを備えた薄膜ピストンポンプにおいて、該薄膜ピストンポンプが、ポンプヘッド（５）を有しており、該ポンプヘッド（５）が、ｎ＋１個のポンプヘッドエレメント（５ａ，５ｂ，５ｂ，５ｃ）から成っており、ただしｎは少なくとも２であり、ポンプヘッドエレメント（５ａ，５ｂ，５ｂ，５ｃ）が、相並んで列を成して互いに取り付けられていて、列内の２番目以降のポンプヘッドエレメントに関しては各ポンプヘッドエレメント（例えば５ｂ）が、それぞれ列内でその手前に前置されたポンプヘッドエレメント（例えば５ａ）のためのカバーと送出チャンバ（４）とを形成しており、薄膜が、各ポンプヘッドエレメント（５ａ，５ｂ，５ｂ，５ｃ）の間に緊締されていて、ピストン（１）の長手方向軸線に対してほぼ平行に向けられていることを特徴とする、薄膜ピストンポンプ。
【請求項２】
ピストン（１）が、薄膜（３）の面に対して平行に直接所属のポンプヘッドエレメント（５ａ，５ｂ，５ｂ，５ｃ）内に突入している、請求項１記載の薄膜ピストンポンプ。
【請求項３】
ピストン（１）が、別個のガイドケーシング（７）内に配置されており、該ガイドケーシング（７）にポンプヘッドエレメント（５ａ，５ｂ，５ｂ，５ｃ）が取り付けられている、請求項１記載の薄膜ピストンポンプ。
【請求項４】
所要の緊締力が同時に全てのポンプヘッドエレメントに作用するように、ポンプヘッドエレメント（５ａ，５ｂ，５ｂ，５ｃ）が一緒になって互いに結合されている、請求項１から３までのいずれか１項記載の薄膜ピストンポンプ。
【請求項５】
薄膜（３）の緊締縁部の外部に、抗張ねじ（６）を受容するための貫通孔が設けられている、請求項４記載の薄膜ピストンポンプ。
【請求項６】
吐出管路（９）及び吸込み管路（８）並びに作動弁（１０）が、ポンプヘッドエレメント（５ａ，５ｂ，５ｂ，５ｃ）によって形成されたポンプヘッドに組み込まれている、請求項１から５までのいずれか１項記載の薄膜ピストンポンプ。
【請求項７】
相並んで列を成して配置された複数のポンプエレメントのうち列内で最後のポンプヘッドエレメント（５ｃ）に均質化装置（１１，１２，１３）が組み込まれている、請求項１から６までのいずれか１項記載の薄膜ピストンポンプ。
【請求項８】
均質化装置が、プランジャ（１１）、弁座（１２）及び弁操作手段（１３）を備えた均質化弁である、請求項７記載の薄膜ピストンポンプ。
【発明の詳細な説明】
【０００１】
【発明の属する技術分野】
本発明は、特許請求の範囲第１項の上位概念に記載の形式の薄膜ピストンポンプに関する。
【０００２】
【従来の技術】
上記形式の薄膜ピストンポンプは、ドイツ国特許第３９０３０４９号明細書から公知である。
【０００３】
公知の薄膜ピストンポンプにおいては送出チャンバ（ポンプ作動室と呼ばれる）は、ピストン用のシリンダを有する液圧ケーシングの種々の個所に配置されている。この場合薄膜は、送出チャンバを有するカバーの間に緊締されている。これによって、安価な構成が得られる。
【０００４】
【発明が解決しようとする課題】
本発明の課題は、冒頭に述べた形式の薄膜ピストンポンプを、コンパクトにしかもユニット構造形式で安価に製作できるように、改良することにある。
【０００５】
【課題を解決するための手段】
前記課題は本発明によれば、特許請求の範囲第１項の特徴部分に記載の本発明の構成によって解決された。
【０００６】
【発明の効果】
本発明によれば、従来構造形式の場合にカバーが固定されている、薄膜及び送出チャンバを備えたポンプヘッドが、多数のポンプヘッドエレメントに分割される。基本的にはポンプヘッドエレメントは、駆動機構に設けられるピストンよりも多く必要である。この場合ポンプヘッドエレメントは、ポンプヘッドエレメントの数に応じて、前接続されたポンプヘッドエレメント用の送出チャンバ並びにカバーを後続のポンプヘッドエレメントが形成するように、側方に並べて配置されている。
【０００７】
この場合、列を成して配置されたポンプヘッドエレメントの最初のポンプヘッドエレメントは、液圧ケーシングのみを成すのに対して、後続のポンプヘッドエレメントは、送出チャンバを備えたカバー及び液圧ケーシングを成す。最後の、つまりｎ＋１のポンプヘッドエレメントは、送出チャンバを備えたカバーのみを成す。薄膜は、それぞれポンプヘッドエレメントの間に緊締される。ポンプヘッドエレメントは、ピストンの縦軸線に対して平行に整列している。薄膜が緊締される平面及び個々のポンプヘッドエレメントの間に形成される結合平面は、ピストンの縦軸線に対して平行に延びている。
【０００８】
ポンプヘッドエレメントは相似に形成されている（最初のポンプヘッドエレメントが液圧ケーシングのみを成しかつ最後のポンプヘッドエレメントがカバーのみを成す）ので、極めて異なるポンプヘッドをユニット構造形式で構成することができる。更に、全ポンプヘッドエレメントが駆動機構の端面に取り付けられるため、構造は極めてコンパクトである。
【０００９】
更に、請求項２に記載のように薄膜ピストンポンプが構成されている場合には、極めて短くしかもコンパクトな構成ユニットが得られる。更に、シリンダ間隔がポンプヘッドエレメントのゲージに合致しない駆動機構への取付けを可能にするために、別個のガイドケーシングを間挿することもできる（請求項３）。
【００１０】
ポンプヘッドエレメントは異なる形式で、例えば抗張ねじによって互いに結合することができる。例えば液力式又は空気力式に生ぜしめられる力導入手段を有する、摩擦結合式の別の結合手段も可能である。
【００１１】
有利には吐出管路及び吸込み管路並びに作動弁をポンプヘッドエレメントに組み込むこともできる。これによって、コンパクトな構造形式が一層改善される。
【００１２】
均質化装置をポンプヘッドエレメントの１つに組み込むこともできる（請求項７又は８）。
【００１３】
【発明の実施の形態】
図面では、ポンプヘッドがそれぞれ（図示の実施例において３つのピストン１を有する）駆動機構の端面に固定されている種々の実施例を図示している。駆動機構は詳細に図示されていない。プランジャとして構成されたピストン１は、第１図の実施例の場合には直接ポンプヘッド５内に突入する。ストローク作動室２は、通常の形式で液圧媒体で充填されている。個々の送出チャンバ４は、液力式に並行接続されている。各送出チャンバ４は、薄膜３によりストローク作動室２から仕切られている。
【００１４】
ポンプヘッド５は、多数のポンプヘッドエレメント５ａ，５ｂ，５ｂ，５ｃに分割されている。図面から難なく推測されるように、最初のポンプヘッドエレメント５ａは液圧エレメントのみを成している。最初のポンプヘッドエレメント５ａのために、次のポンプヘッドエレメント５ｂが所属の送出チャンバを備えたカバーを成している。両ポンプヘッドエレメント５ａ，５ｂの間には薄膜３が緊締されている。ピストンの数に相応してこのユニット構造原理は最後のポンプヘッドエレメント５ｃまで継続し、この最後のポンプヘッドエレメントは、本来カバーを成すに過ぎずしかも送出チャンバだけを有している。最後のポンプヘッドエレメント５ｂによって薄膜３が緊締されている。
【００１５】
これによって、薄膜がピストン１の縦方向又はストローク方向に対して平行に、つまりポンプヘッド５が固定される平面に対して垂直に延びるコンパクトな構造形式が得られる。ポンプヘッドエレメントは常に、駆動機構に設けられるピストン１よりも多く必要である。最初のポンプヘッドエレメント５ａと最後のポンプヘッドエレメント５ｃとの間に位置するポンプヘッドエレメント５ｂは、同一に形成されているので、製作上の利点が得られる。
【００１６】
更に、全てのポンプヘッドエレメントを同一に形成することもできる。この場合、最初のポンプヘッドエレメント５ａ及び最後のポンプヘッドエレメント５ｃにおいてのみ規定のスペースを利用せずに済む。実施例ではポンプヘッドエレメント５ａ乃至５ｃは、所要の摩擦結合式の結合のために役立つ抗張ねじ（Dehnschraube）６によって互いに緊締されている。
【００１７】
第２図の実施例では、ピストン１は直接ポンプヘッド内に突入するのではなく、駆動機構とポンプヘッドとの間に特別なガイドケーシング７が間挿されている。これによって、シリンダ間隔がポンプヘッドエレメントのゲージと合致しない駆動機構への取付けが可能である。
【００１８】
第２実施例と第１実施例との比較から明らかなように、ピストン間隔が僅かである場合でも同一のポンプヘッドエレメントによって薄膜ポンプを構成できる。
【００１９】
第３図では、第２図III−III線に沿った断面図を図示していて、この場合吐出管路９及び吸込み管路８が、作動弁１０と同様にポンプヘッドエレメントに組み込まれている。作動弁は特に効果的な解決手段を成す。当然前記管路及び作動弁を外部に設置しかつ適当な接続フランジを用いて接続することもできる。
【００２０】
第４図では、特に効果的に最後のポンプヘッドエレメント５ｃに組み込むことのできる均質化装置又はホモジナイザーを備えた、第３図Ｘ部分が図示されている。前記均質化装置は図示の形式では、プランジャ１１と弁座１２と弁操作手段１３とから成る均質化弁である。弁操作手段を用いて、機械式（例えば圧縮ばねによって）、液力式又は空気力式に生ぜしめられる軸方向の力がプランジャに導入される。更に、絞り又は噴流分散装置のような異なって形成された均質化装置を組み込むこともできる。
【００２１】
抗張ねじの代わりに、ポンプヘッドエレメント用の別の摩擦結合式の結合手段を選ぶことができ、例えば、液力式又は空気力式の力導入を可能にする特別なフレームを使用することもできる。
【図面の簡単な説明】
【図１】本発明による薄膜ピストンポンプの第１実施例の概略的な断面図。
【図２】本発明による薄膜ピストンポンプの別の実施例の、第１図に相応する断面図。
【図３】吐出管路及び吸込み管路並びに作動弁を組み込まれた、別の実施例の第２図III−III線に沿った断面図。
【図４】第３図Ｘ部分の拡大図。
【符号の説明】
１  ピストン
２  ストローク作動室
３  薄膜
４  送出チャンバ
５  ポンプヘッド
５ａ，５ｂ，５ｂ，５ｃ  ポンプヘッドエレメント
６  抗張ねじ
７  ガイドケーシング
８  吸込み管路
９  吐出管路
１０  作動弁
１１  プランジャ
１２  弁座
１３  弁操作手段
【図１】
0004243390.tif 000002
【図２】
0004243390.tif 000003
【図３】
0004243390.tif 000004
【図４】
0004243390.tif 000005